(57)【要約】【課題】コネクタ接合部にケーブルを接続した状態で開閉式のコネクタカバーを閉鎖してコネクタ部の保護と美観を図ること。【解決手段】他の機器とケーブルを通して電気接続するコネクタ接合部４と、コネクタ接合部を内包するとともに電気接続されたケーブルを内包する背面部又は側面部に設けた収納凹部３と、収納凹部を開閉するコネクタカバー２と、を備えた映像表示装置であって、コネクタカバー２を閉じた状態で外部にケーブルを引き出すための切り欠き部６を収納凹部３に設け、収納凹部の一の設置面に配置されるコネクタ接合部４は、切り欠き部６の方向に傾斜して立設させること。コネクタカバー２に固定された蝶番の回転軸を低硬度の樹脂性部品に挿入して蝶番を形成し、開閉式のコネクタカバーを構成する。【選択図】図２
2008166035.tif 000002
【特許請求の範囲】
【請求項１】
他の機器とケーブルを通して電気接続するコネクタ接合部と、前記コネクタ接合部を内包するとともに前記電気接続されたケーブルを内包する背面部又は側面部に設けた収納凹部と、前記収納凹部を覆うコネクタカバーと、を備えた映像表示装置であって、
前記コネクタカバーを閉じた状態で外部に前記ケーブルを引き出すための切り欠き部を前記収納凹部に設け、
前記収納凹部の一の設置面に配置される前記コネクタ接合部は、前記切り欠き部の方向に傾斜して立設させる
ことを特徴とする映像表示装置のコネクタ機構。
【請求項２】
請求項１において、
前記コネクタカバーには前記コネクタカバーに固定された蝶番の回転軸を設けるとともに、前記背面部又は側面部には低硬度の樹脂性部品を設け、
前記蝶番の回転軸を前記低硬度の樹脂性部品に挿入して蝶番を形成し、前記蝶番によって開閉式のコネクタカバーを構成する
ことを特徴とする映像表示装置のコネクタ機構。
【発明の詳細な説明】
【技術分野】
【０００１】
本発明は、映像表示装置の背面部又は側面部にて設置されて、他の音響用機器又は映像用機器とを接続するコネクタ部の構成に関する。
【背景技術】
【０００２】
従来技術での映像表示機器における他の機器とのコネクタ部について、図５を用いて説明する。図５は従来技術に関する映像表示機器のコネクタ部とコネクタカバーを示す図である。映像表示機器の背面部又は側面部にはコネクタ部４が設置され、このコネクタ部４には、音響用や映像用機器又は記憶用機器からの信号を接続する受信端子と、これらの機器へ信号を送るためのさまざまな規格に準拠した送信端子を有している。さらに、受信端子と送信端子にはケーブルが接続されていて外部の機器と信号授受を行っている。
【０００３】
さらに、送信又は受信のための接続端子は、映像表示機器から露出している場合が多く見られが、図５に示すように、コネクタ部の保護と美観のために、取付部９で着脱式に取り付けられた天板２でコネクタ部３が覆われている場合も見受けられる。図５では天板２は２つの取付部９，９と１つの係止部８で映像表示機器のコネクタ部３に着脱自在となっている。
【０００４】
また、映像用機器のコネクタ端子を塵埃や雨滴等の浸入から保護するために、プロテクトカバーを筐体部に対してセルフヒンジで取り付ける構造が提案されている（例えば、特許文献１を参照）。
【特許文献１】特開平８−２７９９４０号公報
【発明の開示】
【発明が解決しようとする課題】
【０００５】
しかしながら、図５に示すような従来技術では、他の外部機器への接続コードの本数が増えると、接続コードの結束状態によっては保護用天板２の装着不可能な状態が生じ得る。図６は従来技術に関する映像表示機器におけるコネクタカバーと結束状態の接続コードとの配置関係を示す図である。図６に示すように、コネクタ部３の端子への接続コードの接続順などによって、接続コードの結束状態に偏りが発生して接続コードが外部引き出し口に収まりきらない等の状況が生じてしまう（図６に示す×印参照）。このように天板が装着できないと、コネクタ部の保護と美観を損ない、引いては、装着できない天板を紛失してしまう虞がある。
【０００６】
また、上記特許文献１に開示のプロテクトカバーは、ケーブルを接続した状態で閉じることを考慮しておらず、ケーブル接続状態での保護と美観の点で課題が生じる。プロテクトカバーは肉薄状のセルフヒンジで筐体に取り付けられているが、このヒンジでは何回も開閉動作が行われると擦り切れてしまい、耐久性で課題が生じる。
【０００７】
本発明の目的は、コネクタ接合部にケーブルを接続した状態で開閉式のコネクタカバーを閉鎖してコネクタ部の保護と美観を図ることができる映像表示装置を提供することにある。
【課題を解決するための手段】
【０００８】
前記課題を解決するために、本発明は次のような構成を採用する。  
他の機器とケーブルを通して電気接続するコネクタ接合部と、前記コネクタ接合部を内包するとともに前記電気接続されたケーブルを内包する背面部又は側面部に設けた収納凹部と、前記収納凹部を覆うコネクタカバーと、を備えた映像表示装置であって、前記コネクタカバーを閉じた状態で外部に前記ケーブルを引き出すための切り欠き部を前記収納凹部に設け、前記収納凹部の一の設置面に配置される前記コネクタ接合部は、前記切り欠き部の方向に傾斜して立設させる映像表示装置のコネクタ機構。
【０００９】
また、前記映像表示装置のコネクタ機構において、前記コネクタカバーには前記コネクタカバーに固定された蝶番の回転軸を設けるとともに、前記背面部又は側面部には低硬度の樹脂性部品を設け、前記蝶番の回転軸を前記低硬度の樹脂性部品に挿入して蝶番を形成し、前記蝶番によって開閉式のコネクタカバーを構成する映像表示装置のコネクタ機構。
【発明の効果】
【００１０】
本発明によれば、映像表示装置での接続コードの結束状態の如何に因らずにコネクタカバーを閉じた状態で接続コードに無理な力が作用することがなく、接続コードを引き出すことができる。また、コネクトカバーを蝶番構造で開閉自在とすることで保護と美観を保つことができる。
【発明を実施するための最良の形態】
【００１１】
本発明の実施形態に係る映像表示装置について、図１〜図４を参照しながら以下説明する。図１は本発明の実施形態に係る映像表示装置におけるコネクタ部でのケーブル接続の状態を示す概要図である。図２は本実施形態に係る映像表示装置におけるコネクタ部のコネクタ接合部の配置構造を示す図である。図３は本実施形態に関する映像表示装置本体の切り欠き部を通る接続コードとコネクタカバーとの配置関係を示す図である。図４は本実施形態に関するコネクタカバーの蝶番構造を示す図である。
【００１２】
図面において、１は映像表示装置、２はコネクトカバー（保護用・美観用天板）、３はコネクタ部、４はコネクタ接合部（接続端子）、５は接続ケーブル、６はケーブル取出用切り欠き部、７は蝶番、８は係止部、９は取り付け部、１１はコネクタカバー一体成型部、１２は回転軸部、１３は低硬度樹脂部品、１４は映像表示装置背面・側面一体成型部、をそれぞれ表す。
【００１３】
図１において、映像表示装置１（例えば、薄型の液晶ＴＶ）の背面（又は側面）にコネクタ部３を設け、塵埃等の浸入を保護し美観を確保するために、コネクタ部３と接続ケーブル５を覆うコネクタカバー２を取り付けて、開閉自在の構造とする。コネクタカバー２の開閉自在の詳細構造は図４の説明で後述する。図示の例では、接続ケーブル５が接続されるコネクタ接合部２（接続端子）は、映像表示装置の背面から見た正面ではなくて、その側面に設置される例を示す。ただし、側面ではなくて正面にコネクタ接合部２を設けてもよい。
【００１４】
図２において、受信用信号又は送信用信号を受け入れ又は送り出すための接続端子、即ちコネクタ接合部４の設置状態を示しており、コネクタ接合部４はその設置面に垂直方向に配設するのではなくて、外部に接続ケーブルを引き出すための切り欠き部６の方向へ傾斜して配設する。また、コネクタ接合部４は様々な規格に準拠した端子構造となっていて、その全てのコネクタ接合部４が切り欠き部方向に傾斜している。
【００１５】
ここで、コネクタ接合部４の傾斜構造の意義について説明する。接続ケーブル５の端部をコネクタ接合部４に接続する際、仮に、コネクタ接合部４が垂直に設置されていて且つ接続ケーブル５の端部がプラグ形状となっていると、そのプラグに接続される接続ケーブルの接続端部は、急に折れ曲がって下方向に向きを変えられることとなる。コネクタ部３の収納スペースは限られた空間であるので、特に、コネクタ接合部４の設置面とこの面に対向する対向面との空間が小さいと、この対向面の近傍で接続ケーブルの接続端部が略直角に折れ曲がることとなって、この折れ曲がり部にストレスが加わって断線の虞もある。
【００１６】
本実施形態に関するコネクタ接合部４の傾斜構造によると、たとえ接続ケーブル５の端部がプラグ形状となっていても、コネクタ部３の収納スペースの接続ケーブル出口、すなわち、切り欠き部６（コネクタ部３の収納スペースの下端面側に設けた切り欠き部）の方向に傾斜しているので、上記の対向面の近傍で急に折れ曲げることを要せず、接続ケーブルにストレスが加わらない。また、コネクタ接合部４の設置面が映像表示装置の背面から見た正面であった場合には、その対向面はコネクタカバー２となるので、コネクタ接合部４を傾斜構造とすれば、コネクタカバー２を閉じた状態でコネクタカバー２の裏面で接続ケーブルの接続端部が強制的に鋭角に折り曲げられることはなくなる。したがって、接続ケーブルの断線のおそれもない。
【００１７】
また、コネクタカバー２は映像表示装置の背面に設けられた蝶番７で取り付けられていて、接続ケーブル５をコネクタ接合部４に接続する場合はコネクタカバー２を開放するが、接続が完了すればコネクタカバー２を閉じてその係止部８を映像表示装置１の係止部８に係止し、コネクタカバー２を閉鎖する。これによって、塵埃がコネクタ部３に浸入することを防ぐことができる。また、接続ケーブル５とコネクタ接合部４との接続状態が露出することがないので美観を保つことができる。
【００１８】
図３と図４において、コネクタカバー２を蝶番７で映像表示装置１の背面部に取り付けて、コネクタカバー２を開閉自在とする構成を説明する。図３には、コネクタカバー２を蝶番７と係止部８で係止しコネクタカバー２を閉じた状態を示す。この状態では、接続ケーブル５は映像表示装置１の背面部に設けた切り欠き部６を通して外部に引き出される。図４は蝶番７の詳細構造を示しており、符号１１がコネクタカバー２と一体成型された一体成型部であり、符号１２は回転軸部でありコネクタカバー一体成型部１１に固定されていて、例えば金属部品柱でよい。また、符号１４は映像表示装置１の背面部（又は背面部に固定された開閉機構部）と一体成型された一体成型部であり、符号１３はこの背面部一体成型部に低硬度の樹脂性部品を挿入したものである。
【００１９】
このように、符号１１と１２は一体的構造であってコネクタカバー２に設けられ、符号１３と１４は映像表示装置背面部（又は背面部に固定された開閉機構部）と一体的構造となっている。符号１１，１２と符号１３，１４を図示のように組み合わせてコネクタカバー２を開閉可能とする。低硬度の樹脂性部品１３と金属部品柱１２などの回転軸部との組み合わせによって、磨耗による形状劣化、経年劣化を大幅に軽減することができ、接合性が良くてガタが少ない。
【００２０】
以上説明したように、本発明の実施形態に係る映像表示装置のコネクタ部は、装置本体（背面部又は側面部）とコネクタカバーとを蝶番で連結することで、従来の着脱式ではなくて開閉式とし、蝶番の回転軸の周辺に硬度の低い樹脂部品を使用して耐久性を高め、さらに、ケーブルをコネクタ接合部に接続してコネクタカバーを閉めた状態で、ケーブルが鋭角に曲がらないようにするため、コネクタ接合部を切り欠き部の方向へ傾斜させることで、ケーブルに過度のストレスを掛からなくしてケーブル断線などのおそれが生じないようにした。さらに、ケーブルの収納スペースを背面又は側面に設けるとともに、コネクタカバーを閉めた状態で外部にケーブルを引き出すための切り欠き部を設けることで、閉じた状態でのケーブルにストレスが掛からないようにし、美観も損なわないようにする。このように、本実施形態に関するコネクタ部の構成を採用することで、接続ケーブルをコネクタ接合部に接続した状態で開閉式のコネクタカバーを閉鎖し、接続ケーブルやコネクタ接合部の保護と美観を図ることができる
【図面の簡単な説明】
【００２１】
【図１】本発明の実施形態に係る映像表示装置におけるコネクタ部でのケーブル接続の状態を示す概要図である。
【図２】本実施形態に係る映像表示装置におけるコネクタ部のコネクタ接合部の配置構造を示す図である。
【図３】本実施形態に関する映像表示装置本体の切り欠き部を通る接続コードとコネクタカバーとの配置関係を示す図である。
【図４】本実施形態に関するコネクタカバーの蝶番構造を示す図である。
【図５】従来技術に関する映像表示機器のコネクタ部とコネクタカバーを示す図である。
【図６】従来技術に関する映像表示機器におけるコネクタカバーと結束状態の接続コードとの配置関係を示す図である。
【符号の説明】
【００２２】
１  映像表示装置
２  コネクトカバー
３  コネクタ部
４  コネクタ接合部（接続端子）
５  接続ケーブル
６  ケーブル取出用切り欠き部
７  蝶番
８  係止部
９  取り付け部
１１  コネクタカバー一体成型部
１２  回転軸部
１３  低硬度樹脂部品
１４  映像表示装置背面・側面一体成型部
【図１】
2008166035.tif 000003
【図２】
2008166035.tif 000004
【図３】
2008166035.tif 000005
【図４】
2008166035.tif 000006
【図５】
2008166035.tif 000007
【図６】
2008166035.tif 000008